(57)【要約】      （修正有）【課題】人体或いは、物体と物体の間を危険な場所で繋いで使う、継手体に係止部付の回動とショックを緩和する機能付きの保持具を提供する。【解決の手段】略円筒状で側面に軸孔１ａ付きケース体１の内部で、軸孔１ａに貫通して回動自在でスライドする軸芯２には、中心孔付きのＡマグネット３、Ｂマグネット４、Ｃマグネット５の複数個のそれぞれが、同磁極で反発Ｎ，Ｓする磁場内に対向配置して差し込まれる。Ａマグネット３はケース体１の側面に固定され、其れに反発対向するＢマグネット４とＣマグネット５が差し込まれ、Ｃマグネット５は、軸芯２に一体化のストッパー６に依って、軸芯２の端子部２ａとケース体１の端子部１ｂに安全継手体Ｂを介し、負荷する過激で変則的な引きＰや回動ＰＰがＣマグネット５の反発Ｎ，Ｓに逆らいながら引きＰを緩和の出来る。【選択図】図１
0003154505.tif 000002
【実用新案登録請求の範囲】
【請求項１】
人体或いは、物体と物体の間を危険場所で絶対離れない様に、結び付けて使う係止部Ａ付き安全継手体Ｂにおいて、略円筒状で側面に軸孔１ａ付きケース体１の内部に、其の軸孔１ａに貫通して回動自在でスライドでなる軸芯２には、中心孔付きでなる、Ａマグネット３、Ｂマグネット４、Ｃマグネット５での複数個のそれぞれが、同磁極で反発Ｎ，Ｓする磁場内に対向配置して差し込まれるが、Ａマグネット３はケース体１の側面に固定され、其れに反発対向するＢマグネット４とＣマグネット５が差し込まれ、該Ｃマグネット５は、軸芯２に一体化のストッパー６に依って、軸芯２の端子部２ａとケース体１の端子部１ｂに安全継手体Ｂを介し、負荷する過激で変則的な引きＰや回動ＰＰがＣマグネット５の反発Ｎ，Ｓに逆らいながら引きＰを緩和し、固定でなるＡマグネット３に接近可能にしたことを特徴とする、物体間に用いる継手体の保持具ＡＡ。
【考案の詳細な説明】
【技術分野】
【０００１】  この考案は、人体或いは、物体と物体の間を離れない様に、結び付けて使う係止部付き安全継手体の保持具の改良に関し、詳しくは、例えば、サーフボードや、釣りでの友船や、工具や、装置等と人体を繋ぐ継手体（安全ロープ、セーフティコード等）に装備する保持具（スナップフック等）にショックを緩和する機能を具備した、継手体の保持具に関する。
【背景技術】
【０００２】  此の種従来技術として実用新案文献１或いは、特許文献２に記載され開示されている、文献１においては、釣り用サルカン（撚り戻し具）において、固定する、中心孔付きのマグネットに直列で同磁極で対向し、反発力と移動可能な中心孔付きの、Ｂマグネットを内蔵構成する蓋体付きの密閉での略円筒体ケースの片方端子に接続孔を設け、他方端子の側面に設けた軸孔に差し込まれて、回動とスライド自在でなる接続リング部付き駆動軸は、内蔵固定でなるＡマグネットに緩やかに貫通し、反発力でなるＢマグネットに差し込み、止め座を介し、一体的連結することで、その接続リング部に負荷する引きが反発力に逆らい固定するＡマグネットに近接する引きを緩和し、引きの解除にて即、反発力で復帰移動する構成からなる、考案の名称「ショック緩和サルカン」が開示されている。【０００３】  前記する釣り竿に仕掛けで使うショック緩和サルカンは、例えば、蓋付きのケースからなる本体の蓋の端部に設けた接続孔にリングの金具を介し道糸を接続し、ケースの側面に開口する軸孔から突き出して、回転と引っ張りの負荷を緩和可能にする駆動軸の接続リング部にはハリス或いは重りなどが接続され、ハリスの釣り針に引っ掛かった魚の急激な引きや、暴れ周りながらの回動とショックの緩和によって発生する糸の撚りを戻し、絡みを防ぎ、ショックに依る、糸着れを未然に防ぎ発生する釣り場に発生する、トラブルを解決する構成を具現化している。【０００４】  次にまた、文献２においては、物体と物体或いは物体と人体などで物体が工具や装置での双方を連結コードで繋いで双方が分離や絡みを防ぐ発明として、「工具携帯用安全紐」の名称で開示される。これらの連結コードは、携行者の着衣類に係合する身体側係合具と、工具類に係合する工具側係合具とそれらの双方を連結する連結コードが、其の両端部に結合され撚りを戻す為の一対の撚り戻し具とを備え、それぞれの双方の係合具は、撚り戻し具側に棒状の突き出し係合部があり、突き出し係合部の根元にリング状の凹部を備え、撚り戻し具は略円筒状で、一端に連結コードを通過させる貫通孔を設けた底部があり、他端は開放されるとともに前記係合具に係合するリング状の係合部を備え、前記撚り戻し具の開放口に突出係合部を挿入し、リング状の係合部に外力を加えて変形し、其の一部をリング状の凹部に嵌入させて双方での回転自在に係合する構成である。【０００５】
【実用新案文献１】
実用新案登録第３１４７６５号
【０００６】
【特許文献２】  特開２００２−１０３２５２号
【考案の開示】
【考案が解決しようとする課題】
【０００７】  しかしながら、上記する従来技術での文献１でのショック緩和サルカンは、釣りでの水中でハリスに過剰な引っ張り負荷での回動時において、固定するＡマグネットの面とＢマグネット面との接合に発生する滑動抵抗を受けることで、引っ張りが大きくなればなるほど回動が鈍り絡み防止を阻害し、強力な引っ張りに不向きである等の課題がある。【０００８】  そしてまた、強烈引きでの回動する双方のマグネットの接合面に海中での砂鉄や磁性微紛などの吸着によっては更に回転軸のスムーズな回転を阻害し大きな引張り負荷での回動抵抗を増大し、釣り用クッション緩和サルカンとしての機能効果を低下させるなどの課題が残る。【０００９】  次に、文献２で開示される工具携帯用安全紐では、連結コードの係合具の構成は、連結コードの端子が差し込まれて固定する筒状の底の孔付きで、対向する開口部はリング状係合部を持つ撚り戻し具と、これに差し込まれ抜ける事無く回動自在な身体側（工具側）係合具での構成で、工具側に発生する過剰負荷の衝撃の緩和が出来ない為、人体が直にショックを受ける等で危機にさらされる課題が残る。【００１０】  かかる上記する観点から、駆動軸にかかる負荷の強弱に関係無く回動をスムーズにし、引きの衝撃を緩和し、クッション性を具備する、釣り用サルカン以外での様々な分野でスペックションを一部変更するだけで、利用可能な継手体の保持具機能として、撚り戻しの他に過激引きでのショック緩和機能を具備する保持具を強く要望されていた。
【課題を解決する為の手段】
【００１１】  この考案はかかる課題を解決するために、請求項１での考案は図１と、図２で述べる様に、人体側或いは、物体側と物体側の間を絶対離れない様に、結び付けて使う係止部Ａ付き安全継手体Ｂにおいて、略円筒状で側面に軸孔１ａ付きケース体１の内部に、其の軸孔１ａに貫通して回動自在でスライドでなる軸芯２には、中心孔付きでなる、Ａマグネット３、Ｂマグネット４、Ｃマグネット５での複数個のそれぞれが、同磁極で反発Ｎ，Ｓする磁場内に対向配置して差し込まれるが、Ａマグネット３はケース体１の側面に固定され、其れに反発対向するＢマグネット４とＣマグネット５が並んで差し込まれ、該Ｃマグネット５は、軸芯２に一体化するストッパー６に依って、軸芯２の端子部２ａとケース体１の端子部１ｂ間に安全継手体Ｂを介し、負荷する過激で変則な引きＰや回動ＰＰがＣマグネット５を反発ＮするＢマグネット４を押し、更にＢマグネット４は、固定するＡマグネット３に反発Ｓを受けながらそれらのそれぞれの反発Ｎ，Ｓの逆らいが係止部に掛かる引きＰにブレーキすることで引きＰのショックを緩和する構成である。
【考案の効果】
【００１２】  本考案は上述の通り構成作用するので、次の優れた効果を奏する。例えば、海でのレジャーで、サーフボードに人体側を結び付けて海面を滑っている最中に双方が離れるというアクシデントが起きた際に起こる双方の引き合いのショックが緩和され、危険から人体の安全を守れる、物体間に用いる継手体の保持具を提供出来る。
【００１３】  このように、相反発で構成する３個或いはそれ以上のマグネットを使う事で、物体間に強烈な引っ張り衝撃が起きても、強烈なマグネットの反発力のクッション効果でショックが緩和される、様々な工具、設備等に利用出来る、物体間に用いる継手体の保持具を提供出来る。
【００１４】  更にまた、絡み防止に作動する軸芯の回動は双方のマグネットがそれぞれ接合して回転する事無くこれらのマグネットが固定された状態で軸芯に一体化でなるストッパー部が軸芯と一体で回動することで、回動摩擦の少ない、強烈な負荷での回動でも常時スムーズな回転の出来る、物体間に用いる継手体の保持具を提供出来る。
【考案を実施するための最良の形態】
【００１５】以下に図示の実施例に基づいて本考案を更に詳細に説明する。
即ち、図１及び図２は本考案での一部断面での全体を示しての斜視図である。人体と物体、例えば、海での波乗りでのサーフボードと波乗り人体の双方を繋ぐロープ等の係止部Ａ付きでなる、安全継手体Ｂに付ける保持具の構成を蓋１ｃ付きでなる薄肉のケース体１を略円筒状にし、内部に３個の中心孔付きの円板状で希土類マグネットで両面Ｎ，Ｓ着磁で同じ形状で且つ、ほぼ同じ磁力からなるＡマグネット３、Ｂマグネット４、Ｃマグネット５を内蔵するが、蓋１ｃ付きでのケース体１でなる本体の両側面に、軸孔１ａを開口し、片方の軸孔１ａから差し込まれた棒状の軸芯２は軸孔１ａ開口部に整合して固定するＡマグネット３を貫通し、更にＢマグネット４とＣマグネット５に回動自在に貫通し蓋１ｂ側面の軸孔１ａに軸芯２の端子が差し込まれて、其の端子には薄い円板状のストッパー６が一体化し、Ｃマグネット５の面に接合し、軸芯２のケース体１側面の軸孔１ａから突き出す先端に一体化した係止部Ａに負荷する外部からの引きＰに準じ回動とＢ，Ｃマグネット４，５の双方をＡマグネット３に接合すまでに、引きＰでの強烈なショックを緩和可能にしている。【００１６】  前記するケース１に内蔵するそれぞれのマグネットは同磁極で反発する磁場内に対向して回動とスライド自在でなる軸芯２が差し込まれそれぞれが反発での等間隔の隙間を付けての配列で、物体間に負荷する引きＰに依って、それぞれのマグネットの反発Ｎ，Ｓに逆らって過激な引きＰでの衝撃が緩和される事で、ショックでの人体や物体に与える危険を未然に防ぐ構成で、負荷の大小と無関係に様々な物体間を繋いで安全に使う事の出来る、物体間に用いる継手体の保持具を具現化している。
【図面の簡単な説明】
【００１７】
【図１】  本考案に係わる実施例での一部断面での全体を示しての斜視図である。
【図２】  本考案に係わる使用例での一部断面での全体を示しての斜視図である。
【符合の説明】
【００１８】    Ａ    係止部
Ｂ    安全継手体
Ｐ    引き
Ｎ，Ｓ  反発
１    ケース体
１ａ  軸孔
１ｂ、２ｂ  端子部
１ｃ  蓋
２    軸芯
３    Ａマグネット
４    Ｂマグネット
５    Ｃマグネット
６    ストッパー
【図１】
0003154505.tif 000003
【図２】
0003154505.tif 000004